(57)【要約】【課題】人や車両の通行を妨げることなく、路上において看板を確実且つ簡便に設置することができるようにする。【解決手段】歩道６と車道５とが境界ブロック４により区画された路上において看板３を固定するための看板設置装置１であって、前記看板３の脚７が挿入され、該脚７を路面から所望の高さで固定可能にする複数の補助脚１０、前記境界ブロック４を跨ぐように配置される少なくとも２つの前記補助脚１０間に架設されるレール１１、前記レール１１の長手方向に沿って摺動可能な可動部１２、前記可動部１２と一体に設けられ、前記境界ブロック４を挟持可能な挟持手段１３を具備して構成される。【選択図】図１
2008261111.tif 000002
【特許請求の範囲】
【請求項１】
歩道と車道とが境界ブロックにより区画された路上において看板を固定するための看板設置装置であって、
前記看板の脚が挿入され、該脚を路面から所望の高さで固定可能にする複数の補助脚、
前記境界ブロックを跨ぐように配置される少なくとも２つの前記補助脚間に架設されるレール、
前記レールの長手方向に沿って摺動可能な可動部、
前記可動部と一体に設けられ、前記境界ブロックを挟持可能な挟持手段、
を具備して構成されることを特徴とする看板設置装置。
【請求項２】
前記可動部は、前記境界ブロックの幅よりも大きな凹形状を有する断面コ字形状のコ字状部材と、該コ字状部材と一体に形成され前記レールと摺動可能に嵌合するレール嵌合部とを有して構成され、前記コ字状部材は、路面と略水平に位置する天板と、該天板の対面する２辺から路面側に延設する２枚の側板とを有して構成され、該側板の一方には、螺子穴が形成され、
前記挟持手段は、前記側板に形成された螺子穴に螺合される螺子溝が形成された棒状部材と、該棒状部材の一端側に固定され該棒状部材を回動可能にするハンドルと、前記棒状部材の他端側に固定され前記境界ブロックと当接する当接部とを有して構成されることを特徴とする請求項１記載の看板設置装置。
【請求項３】
前記当接部は、可撓性の材料から形成され、
前記コ字状部の前記螺子穴が形成された前記側面とは反対側の側面に、緩衝材が固定されていることを特徴とする請求項２記載の看板設置装置。
【請求項４】
歩道と車道とが段差をもって区画された路上において看板を固定するための看板設置装置であって、
前記看板の脚が挿入され、該脚を路面から所望の高さで固定可能する第１の補助脚、
前記第１の補助脚が挿入され、該第１の補助脚及び前記看板の脚を路面から所望の高さで固定可能にする第２の補助脚、
歩道と車道とに配置される少なくとも２つの前記第１の補助脚間に架設されるレール、
前記レールの長手方向に沿って摺動可能な可動部、
前記可動部と一体に設けられ、前記歩道と車道との段差部に形成された排水口に係止可能な係止手段、
を具備して構成されることを特徴とする看板設置装置。
【請求項５】
前記可動部は、路面と略水平に設置される板状部材と、該板状部と一体に形成され前記レールと摺動可能に嵌合するレール嵌合部とを有して構成され、前記板状部には、穴が形成され、
前記係止手段は、前記板状部に形成された穴に挿通され螺子溝が形成された棒状部材と、該棒状部材の螺子溝と螺合し回転されることにより該棒状部材の垂直方向に進退させる螺合部材と、前記棒状部材の端部に固定され前記排水口に挿入されて該排水口の上面に下方から係止する係止片とを有して構成されることを特徴とする請求項４記載の看板設置装置。
【発明の詳細な説明】
【技術分野】
【０００１】
本発明は、工事中等の所定の情報を掲載する看板を、路上に固定するための装置に関するものである。
【背景技術】
【０００２】
道路工事等を行う場合、車道や歩道にその旨を知らせる看板を設置する必要があるが、このような看板の設置場所や設置方法については、通行の妨げや安全性等の面でかねてから苦慮されるところがあった。このような看板の設置に関する従来発明としては、開脚設置する看板の支柱（脚）を支持し路面と接する設置部を有する連結部を重りで構成するものや（特許文献１参照）、コンクリート、合成樹脂、鋳物からなり標識（看板）を差し込むための差込穴が形成された重石本体の下部に、引掛金具を設けるもの（特許文献２参照）が開示されている。
【特許文献１】特開２００５−２２７７３７号公報
【特許文献２】特開２００３−２７４３６号公報
【発明の開示】
【発明が解決しようとする課題】
【０００３】
上記のように、従来の看板設置装置においては、看板の脚部を支持する部材を重くすることにより、看板の固定強度を向上させようとするものであった。しかしながら、このように大重量の部材を用いると、設置・運搬作業に困難や危険が伴い、また路面を傷つける恐れがあった。更に、上記のような従来技術によっても、依然看板を歩道又は車道に置かなければならず、人や車両の通行を妨げるといった問題を解消することはできなかった。
【０００４】
そこで、本発明は、人や車両の通行を妨げることなく、路上において看板を確実且つ簡便に設置することができるようにすることを目的とする。
【課題を解決するための手段】
【０００５】
上記課題の解決を図る本発明は、歩道と車道とが境界ブロックにより区画された路上において看板を固定するための看板設置装置であって、前記看板の脚が挿入され、該脚を路面から所望の高さで固定可能にする複数の補助脚、前記境界ブロックを跨ぐように配置される少なくとも２つの前記補助脚間に架設されるレール、前記レールの長手方向に沿って摺動可能な可動部、前記可動部と一体に設けられ、前記境界ブロックを挟持可能な挟持手段を具備して構成されることを特徴とするものである（請求項１）。
【０００６】
この構成においては、看板の脚を固定する補助脚に一体に設けられたレール上を摺動する可動部には、境界ブロックを挟持する挟持手段が設けられている。これにより、看板の脚を固定した補助脚を境界ブロックを跨ぐように配置し、挟持手段により境界ブロックを挟持することにより、人にも車両にも通行の妨げとなることが最も少ない場所である境界ブロック上に看板を設置することができる。また、従来のように大重量の部材を用いる必要がないため、設置・運搬作業に困難さや危険が伴うこともない。
【０００７】
また、上記請求項１記載の構成において、前記可動部は、前記境界ブロックの幅よりも大きな凹形状を有する断面コ字形状のコ字状部材と、該コ字状部材と一体に形成され前記レールと摺動可能に嵌合するレール嵌合部とを有して構成され、前記コ字状部材は、路面と略水平に位置する天板と、該天板の対面する２辺から路面側に延設する２枚の側板とを有して構成され、該側板の一方には、螺子穴が形成され、前記挟持手段は、前記側板に形成された螺子穴に螺合される螺子溝が形成された棒状部材と、該棒状部材の一端側に固定され該棒状部材を回動可能にするハンドルと、前記棒状部材の他端側に固定され前記境界ブロックと当接する当接部とを有して構成されることが好ましい（請求項２）。
【０００８】
このような構成にすることにより、コ字状部材の凹部を境界ブロックに被せ、該コ字状部材を構成する２枚の側板間において境界ブロックを挟持することが可能となる。
【０００９】
また、上記請求項２記載の構成において、前記当接部は、可撓性の材料から形成され、前記コ字状部の前記螺子穴が形成された前記側面とは反対側の側面に、緩衝材が固定されていることが好ましい（請求項３）。
【００１０】
このような構成にすることにより、境界ブロックは可撓性の材料と緩衝材とにより挟持される。これにより、挟持ブロックの多少の形状の変化にも対応して、しっかりと固定することが可能となる。
【００１１】
また、本発明は、歩道と車道とが段差をもって区画された路上において看板を固定するための看板設置装置であって、前記看板の脚が挿入され、該脚を路面から所望の高さで固定可能する第１の補助脚、前記第１の補助脚が挿入され、該第１の補助脚及び前記看板の脚を路面から所望の高さで固定可能にする第２の補助脚、歩道と車道とに配置される少なくとも２つの前記第１の補助脚間に架設されるレール、前記レールの長手方向に沿って摺動可能な可動部、前記可動部と一体に設けられ、前記歩道と車道との段差部に形成された排水口に係止可能な係止手段を具備して構成されることを特徴とするものである（請求項４）。
【００１２】
歩道と車道との段差部には、通常排水口が設けられている。そこで、上記構成のように、係止部を排水口に係止させることにより、看板を歩道と車道の境目に設置することができる。この歩道と車道の境目も、上記境界ブロック上と同様に、人にも車両にも通行の妨げとなることが最も少ない場所であるため、看板の設置場所として好ましい。また、この構成においても、大重量の部材を用いる必要がないため、設置・運搬作業に困難さや危険が伴うことがない。
【００１３】
また、上記請求項４記載の構成において、前記可動部は、路面と略水平に設置される板状部材と、該板状部と一体に形成され前記レールと摺動可能に嵌合するレール嵌合部とを有して構成され、前記板状部には、穴が形成され、前記係止手段は、前記板状部に形成された穴に挿通され螺子溝が形成された棒状部材と、該棒状部材の螺子溝と螺合し回転されることにより該棒状部材の垂直方向に進退させる螺合部材と、前記棒状部材の端部に固定され前記排水口に挿入されて該排水口の上面に下方から係止する係止片とを有して構成されることが好ましい（請求項５）。
【００１４】
このような構成にすることにより、螺合部材（ボルト等）を締め付ける方向に回転させることにより、係止片を排水口の上面に当接させることができるので、看板をしっかりと固定することができる。
【発明の効果】
【００１５】
以上のように、本発明によれば、人にも車両にも通行の妨げとなることが最も少ない場所である境界ブロック上、又は歩道と車道の段差部に看板を設置することができる。また、従来のように大重量の部材を用いる必要がないため、設置・運搬作業に困難や危険が伴うことがない。
【発明を実施するための最良の形態】
【００１６】
以下、添付した図面を参照して本発明の実施例を説明する。尚、異なる実施例において同一又は同様の作用効果を奏する箇所についてはその説明を省略する。
【実施例１】
【００１７】
本発明に係る看板設置装置１は、図１〜図３に示すように、工事中等の所定の内容が記載された看板３を路上に固定するためのものであり、特に本実施例は、図７に示すように、境界ブロック４によって車道５と歩道６とに区画され、更に車道５と歩道６とが略同一の高さになっている路面において好適に使用されるものである。
【００１８】
本実施例に係る看板設置装置１は、補助脚１０、レール１１、可動部１２、挟持手段１３を有して構成されている。
【００１９】
補助脚１０は、看板３の脚７を固定してその長さを調節するための部材であり、看板３の脚７の数に合わせて４つ設けられている。この補助脚１０は、図３及び図４に示すように、筒状の部材であり、中空部２４及び螺子穴２５を有している。中空部２４は、看板３の脚７が挿入される部分であり、該脚７よりも大きな断面積を有している。螺子穴２５は、蝶螺子２６と螺合する部分であり、中空部２４まで達している。この構造により、補助脚１０の中空部２４に看板３の脚７を挿入し、蝶螺子２６を締めることにより、看板３の脚７を路面から所望の位置（長さ）に固定することができる。
【００２０】
レール１１は、可動部１２を摺動可能にするための部材であり、図３及び図４に示すように、その端部が２つの補助脚１０の上端近傍部に固定され、境界ブロック４の長手方向に対して直交するように、且つ該境界ブロック４の長手方向に沿って前後するように２本配置される。
【００２１】
可動部１２は、前記レール１１に沿って摺動する部材であり、図３及び図６に示すように、コ字状部２１及びレール嵌合部２２を有している。コ字状部２１は、図６に示すように、天板２１ａ、第１の側板２１ｂ、第２の側板２１ｃからなり、天板２１ａには２つのレール嵌合部材２２が固定され、第１の側板２１ｂには挟持手段１３が設置され、第２の側板２１ｃには緩衝材１９が固定されている。レール嵌合部材２２は、天板２１ａの両側板２１ｂ，２１ｃ側の辺に沿うように固定され、その両端部には、図５及び図６に示すように、前記レール１１と嵌合する凹部２７が形成されている。この凹部２７がレール１１に嵌合することによって、可動部１２全体がレール１１に沿って摺動可能となる。
【００２２】
挟持手段１３は、図１〜図３、図５、及び図６に示すように、接触部１５、棒状部材１６、ハンドル部１７を有して構成される。接触部１５は、円盤形状を有し、可撓性の材料からなる部材である。棒状部材１６は、その一端部に接触部１５が固定されると共に、他端部にハンドル部１７が固定されており、またその略全長にわたって螺子溝が形成され、前記コ字状部２１の第１の側板２１ｂに形成された螺子穴３２に螺合されている。この構造により、ハンドル部１７を回転させることにより、接触部１５を第２の側板２１ｃに固定された緩衝材１９に対して進退させることができる。
【００２３】
上記構成の看板設置装置１を用いて看板３を路上に設置する場合には、先ず看板３の各脚７を補助脚１０に挿入し、蝶螺子２６を締めてこれらを固定し、これらの補助脚１０を、境界ブロック４を跨ぐようにしてそれぞれ２本ずつを車道５側と歩道６とに配置する。次いで、可動部１２のコ字状部２１を、境界ブロック４に被せるようにしてレール１１上に設置し、ハンドル部１７を回して接触部１５を進退させ、境界ブロック４を接触部１５と緩衝材１９とで挟み込むことにより、図１及び図３に示すように、境界ブロック４を跨ぐようにして看板３を固定することができる。
【実施例２】
【００２４】
図８〜図１０において、本実施例に係る看板設置装置５１の使用状態が示されている。本実施例においても、上記実施例１と同様に、看板３を路上に固定するものであり、特に図１２に示すように、車道５と歩道６とが段差によって区画される路面において好適に使用されるものである。
【００２５】
本実施例に係る看板設置装置５１は、補助脚５５、レール６５、可動部６７、係止手段７０を有して構成されている。
【００２６】
補助脚５５は、看板３の脚７を固定してその長さを調節するための部材であり、看板３の脚７の数に合わせて４つ設けられている。この補助脚５５は、図１０及び図１１に示すように、第１の筒状部６０及び第２の筒状部６１を有して構成される。第１の筒状部６０は、中空部７７及び螺子穴７８を有し、第２の筒状部６１は、中空部７９及び螺子穴８０を有している。第１の筒状部６０の中空部７７に看板３の脚７を挿入し、螺子穴７８に蝶螺子８１を螺合することにより、第１の筒状部６０と看板３の脚７とを固定することができる。また、第２の筒状部６１の中空部７９に第１の筒状部６０を挿入し、螺子穴８０に蝶螺子８２を螺合することにより、第２の筒状部６１と第１の筒状部６０とを固定することができる。これら２つの蝶螺子８０，８２を調節することにより、看板３の脚７を路面から所望の位置（長さ）に固定することができる。
【００２７】
レール６５は、可動部６７を摺動可能にするための部材であり、図１０及び図１１に示すように、その端部が第１の筒状部６０の上端近傍部に固定され、車道５と歩道６との境界線と直交するように、且つ該境界線の長手方向に沿って前後するように２本配置される。
【００２８】
可動部６７は、前記レール６５に沿って摺動する部材であり、図１０に示すように、板状部材８３及び２つのレール嵌合部８４を有して構成される。各レール嵌合部８４は、板状部材８３の車道５側及び歩道６側の両辺に沿って該板状部材８３と一体に固定され、上記実施例１のレール嵌合部８４と同様に、レール６５に摺動可能に嵌合する凹部を有している。また、板状部材８３には、長孔８７が形成されている。
【００２９】
係止手段７０は、図８〜図１０に示すように、棒状部材９０、ボルト９１、係止片９２を有して構成される。棒状部材９０は、前記板状部材８３の長孔８７に挿通され、その上部半分程度まで螺子溝が形成されている。ボルト９１は、棒状部材９０上部の板状部材８３の上面側に突出した部分の螺子溝に螺合される。係止片９２は、平面視矩形状の板状の部材であり、該矩形の一辺の近傍部が棒状部材９０の下端部に固定されている。この構成により、ボルト９１の締め付けを調節することにより、係止片９２の路面からの高さを任意に調節することができる。
【００３０】
上記構成の看板設置装置５１を用いて看板３を路上に設置する場合には、先ず看板３の各脚７を第１の補助脚６０に挿入し、蝶螺子８１（図１１参照）を締めてこれを固定し、次いで図８に示すように、車道５と歩道６の段差に合わせて第１の補助脚６０を第２の補助脚６１内でスライドさせ、レール６５が水平となる位置で蝶螺子８２（図１１参照）を締めてこれを固定する。そして、可動部６７及び棒状部材９０を摺動させて係止片９２を排水口９９に挿入した後、ボルト９１を締め付ける方向に回転させることにより、係止片９２を排水口９９の上面に係止させる。これにより、車道５と歩道６の段差部に、看板３を固定することができる。
【図面の簡単な説明】
【００３１】
【図１】実施例１に係る看板設置装置の使用状態を示す正面図である。
【図２】実施例１に係る看板設置装置の使用状態を示す左側面図である。
【図３】実施例１に係る看板設置装置の使用状態を示すＡ−Ａ断面における平面図である。
【図４】実施例１に係る看板設置装置における補助脚の構造を示す斜視図である。
【図５】実施例１に係る看板設置装置の使用状態を示すＢ−Ｂ断面における一部拡大左側面図である。
【図６】実施例１に係る看板設置装置の可動部の構造を示す斜視図である。
【図７】実施例１に係る看板設置装置の使用状態を示す概略図である。
【図８】実施例２に係る看板設置装置の使用状態を示す正面図である。
【図９】実施例２に係る看板設置装置の使用状態を示す右側面図である。
【図１０】実施例２に係る看板設置装置の使用状態を示す平面図である。
【図１１】実施例２に係る看板設置装置における補助脚の構造を示す斜視図である。
【図１２】実施例２に係る看板設置装置の使用状態を示す概略図である。
【符号の説明】
【００３２】
１，５１  看板設置装置
３  看板
４  境界ブロック
５  車道
６  歩道
７  脚
１０，５５  補助脚
１１  レール
１２，６７  可動部
１３  挟持部
１５  当接部
１６，９０  棒状部材
１７  ハンドル
１９  緩衝材
２１  コ字状部材
２２  レール嵌合部
２５，７８，８０  螺子穴
２６，８１，８２  蝶螺子
７０  係止部
８７  穴（長孔）
９１  螺合部材（ボルト）
９２  係止片
９９  排水口
【図１】
2008261111.tif 000003
【図２】
2008261111.tif 000004
【図３】
2008261111.tif 000005
【図４】
2008261111.tif 000006
【図５】
2008261111.tif 000007
【図６】
2008261111.tif 000008
【図７】
2008261111.tif 000009
【図８】
2008261111.tif 000010
【図９】
2008261111.tif 000011
【図１０】
2008261111.tif 000012
【図１１】
2008261111.tif 000013
【図１２】
2008261111.tif 000014